(57)【要約】【課題】従来、噴流発生箇所が処理空間の入口部から奥行方向しか移動しないため、手首から指先まで移動することになり移動距離が長く、一回の動作に時間がかかる上に使用者の手に付着した水分は手首から指先まで移動した後に払拭されるという効率の悪いものとなっている。【解決手段】使用者の手に付着した水分を最短距離で払拭できるように噴流発生箇所４を変更させることにより、使用者の使い方の違いによる乾燥ムラを無くした使い勝手の良い乾燥手段となり、かつ乾燥時間を短くできる手乾燥装置を提供する。【選択図】図２
2005177130.tif 000002
【特許請求の範囲】
【請求項１】
外部に向かって開口した挿入口から手を抜き差しできる処理空間を有し、この処理空間の内部に設置された噴流発生部から発生する作動気流を、前記処理空間に挿入される手に吹き当てて、作動気流の運動エネルギーにより手に付着した水分を払拭するように構成し、時間により噴流発生箇所を変更して作動気流を噴射することを特徴とした手乾燥装置。
【請求項２】
時間により噴流発生箇所を変更し、かつ噴流発生部形状を変化させて作動気流を噴射することを特徴とした請求項１記載の手乾燥装置。
【請求項３】
時間により噴流発生箇所を変更し、かつ空気量を調節して作動気流を噴射することを特徴とした請求項１記載の手乾燥装置。
【請求項４】
時間により噴流発生箇所を変更し、かつ挿入される手に対し噴流の入射角度を変化させて作動気流を噴射することを特徴とした請求項１記載の手乾燥装置。
【請求項５】
時間により噴流発生箇所を手挿入方向に対して直角方向に変更して作動気流を噴射することを特徴とした請求項１記載の手乾燥装置。
【請求項６】
時間により噴流発生箇所を手挿入方向に対して任意の角度を持った斜め方向に変更して作動気流を噴射することを特徴とした請求項１記載の手乾燥装置。
【請求項７】
時間により噴流発生箇所を手挿入方向に対して同一方向及び直角方向及び任意の角度を持った斜め方向を組み合わせて変更し、作動気流を噴射することを特徴とした請求項１記載の手乾燥装置。
【請求項８】
処理空間内部に手検出手段を備え、使用者の手の大きさを検出して噴流発生箇所を選択し、時間により選択された噴流発生箇所を変更して噴射することを特徴とした請求項１記載の手乾燥装置。
【請求項９】
外部に向かって開口した挿入口から手を抜き差しできる処理空間を有し、この処理空間の内部に設置された噴流発生部から発生する作動気流を、時間により噴流発生箇所を変更して前記処理空間に挿入される手に吹き当てて、作動気流の運動エネルギーにより手に付着した水分を払拭するように構成し、使用者に対して作動気流が噴射する噴流発生箇所を目視で確認できるように噴流発生部近傍に表示手段を備えたことを特徴とした請求項１乃至８のいずれかに記載の手乾燥装置。
【請求項１０】
噴流発生箇所を変更する方法として、噴流発生部近傍に空気流を遮断できる材料を使用することを特徴とした請求項１乃至８のいずれかに記載の手乾燥装置。
【請求項１１】
噴流発生箇所を変更する方法として、噴流発生部の機器内部側に空気流を遮断できる材料を使用し、かつ材料をスライドさせる機構とすることを特徴とした請求項１乃至８のいずれかに記載の手乾燥装置。
【請求項１２】
噴流発生箇所を変更する方法として、噴流発生部開口部に開閉手段を使用することを特徴とした請求項１乃至８のいずれかに記載の手乾燥装置。
【請求項１３】
噴流発生箇所を変更する方法として、噴出側流路を噴流発生部側に分岐させて空気流切替手段を用いることを特徴とした請求項１乃至８のいずれかに記載の手乾燥装置。
【請求項１４】
噴流発生箇所を変更する方法として、複数の噴出流路を有し、それぞれに空気流遮断手段を用いることを特徴とした請求項１乃至８のいずれかに記載の手乾燥装置。
【発明の詳細な説明】
【技術分野】
【０００１】
本発明は、洗面所やトイレ等で手を洗い、濡れた手を乾燥させる手乾燥装置に関するものである。
【背景技術】
【０００２】
トイレ等で手洗い後に、手を出し入れできる最低限の処理空間に手のひらと甲側に高速空気流を噴出し、この高速空気流の運動エネルギーによって手に付着した水分を処理空間内へ吹き飛ばして手を乾燥させる装置において、噴流発生部を可動させるものがあり、噴出経路に蛇腹等のフレキシブルな通風路を設け、可動手段を介して噴流発生部を処理空間入り口部から奥向きに可動するものがある。具体的に可動手段として、歯車やモータが使用されている（例えば、特許文献１参照）。
【０００３】
また、噴流発生箇所を変更する手段として、処理空間入り口部から奥向きに順次奥に移動するものがある（例えば、特許文献２参照）。
【特許文献１】特許第２７５６００１号公報
【特許文献２】特開平１１−１１３７８９号公報
【発明の開示】
【発明が解決しようとする課題】
【０００４】
このような従来の手乾燥装置では、噴流発生箇所が処理空間の入り口部から奥行方向しか移動しないため、手首から指先まで移動することになり、移動距離が長く、一回の動作に時間がかかる上に使用者の手に付着した水分は手首から指先まで移動した後に払拭されるという効率の悪いという課題があり、より効率のよい手乾燥装置が要求されている。
【０００５】
本発明は、このような従来の課題を解決するものであり、時間により噴流発生箇所を変更することで、使用者が手を動かさずに手の各部位に風を当てることができ、また、噴流発生箇所を変更する距離を短くすることにより、使用者の手に付着した水分を最短距離で払拭できる手乾燥装置を提供することを目的としている。
【０００６】
そして、具体的な噴射手段として従来技術では噴出流路に伸縮自在な蛇腹等を使用し、噴流発生部を処理空間の入口部から奥向きに移動させているが、一回の動作で手に付着した水分を完全には除去できないため、複数回移動させる必要がある。
【０００７】
上記の構成においては、噴流発生部が往復移動となるため、復路の際は処理空間の奥から入口部へ移動させることとなり、付着した水分が指先から手首に向かって使用者に吹き返ることとなる。また、復路の際に噴射を停止すると時間をロスしてしまうという課題があり、より効率のよい噴射手段が要求されている。
【０００８】
本発明は、このような従来の課題を解決するものであり、噴流発生箇所の変更を同一方向に繰り返すことができる噴射手段を提供することを目的としている。
【課題を解決するための手段】
【０００９】
本発明の手乾燥装置は、上記課題を解決するため、時間により噴流発生箇所を変更して作動気流を噴射することを特徴としたものである。
【００１０】
この手段により、使用者が手を動かさずに手の各部位に風を当てることができる手乾燥装置が得られる。
【００１１】
また、時間により噴流発生箇所を手挿入方向に対して直角方向に変更して噴射するようにしたものである。
【００１２】
この手段により、使用者が手を動かさずに手の各部位に風を当てることができるとともに噴流発生箇所が変更される距離を短くすることにより、使用者の手に付着した水分を最短距離で払拭することができる手乾燥装置が得られる。
【００１３】
また、噴流発生箇所を変更する方法として、噴流発生部近傍に空気流を遮断できるシール材料を使用したものである。
【００１４】
これにより、噴流発生箇所の変更を往復なしに自在に変更することができる手乾燥装置が得られる。
【発明の効果】
【００１５】
本発明によれば時間により噴流発生箇所を変更して作動気流を噴射することにより、使用者の手を動かさずに手の各部位に風を当てることができるため、使用者の使い方の違いによる乾燥ムラが無く、十分な乾燥が得られ、乾燥が遅いことによる使用者への不快感を軽減しつつ、作動時間が短くなることで消費する電力を節約できるという効果のある手乾燥装置を提供できる。
【００１６】
また、噴流を時間により噴流発生箇所を手挿入方向に対して直角方向に変更して噴射することにより噴流発生箇所を時間により手挿入方向に対して直角方向に変更することで、使用者が手を動かさずに付着した水分を親指から小指方向もしくは小指方向から親指方向に向かって除去するため、使用者の手に付着した水分を最短距離で払拭できる構成となり、使用者の使い方の違いによる乾燥ムラが無く、短い時間で十分な乾燥が得られ、乾燥が遅いことによる使用者への不快感を軽減しつつ、作動時間が短くなることで消費する電力を節約できるという効果のある手乾燥装置を提供できる。
【００１７】
また、噴流発生箇所を変更する方法として、噴流発生部近傍に空気流を遮断できるシール材料を使用したことにより往復なしに自在に噴流発生箇所を変更することで、使用者が手を動かさずに手の各部位に風を当てることができ、使用者の使い方の違いによる乾燥ムラが無く、吹き返しの少ない十分な乾燥が得られ、乾燥が遅いことによる使用者への不快感を軽減しつつ、作動時間が短くなることで消費する電力を節約できるという効果のある手乾燥装置を提供できる。
【発明を実施するための最良の形態】
【００１８】
本発明の請求項１記載の発明は、時間により噴流発生箇所を変更して作動気流を噴射することを特徴としたものであり、使用者が手を動かさずに手の各部位に風を当てることができるため、使用者の使い方の違いによる乾燥ムラが無く、十分な乾燥が得られるという作用を有する。
【００１９】
また、本発明の請求項５記載の発明は、時間により噴流発生箇所を手挿入方向に対して直角方向に変更することで、使用者が手を動かさずに付着した水分を親指から小指方向もしくは小指方向から親指方向に向かって除去するため、使用者の手に付着した水分を最短距離で払拭できる構成となり、使用者の使い方の違いによる乾燥ムラが無く、短い時間で十分な乾燥が得られるという作用を有する。
【００２０】
また、本発明の請求項９記載の発明は、噴流発生箇所を変更する方法として、噴流発生部近傍に空気流を遮断できるシール材料を使用したものであり、噴流発生部近傍に空気流を遮断できる材料を使用して噴流が発生する開口部を開閉させることにより、往復なしに自在に噴流発生箇所を変更することができるという作用を有する。
【００２１】
以下、本発明の実施の形態について図面を参照しながら説明する。
【００２２】
（実施の形態１）
図１に示すように、壁面にもしくは床面に固定された本体１は空気流発生手段２としての高速ターボブロワと外部に向かって開口し、手を挿入できる容積を持った処理空間３を有し、この処理空間３を形成する面に噴流発生部４を備え、前記空気流発生手段２により噴出経路５を通って前記噴流発生部４より作動気流が噴出される。
【００２３】
また、前記本体１内には制御手段６を設け、前記噴流発生部４の近傍には挿入された手を検知する検知手段７を設けることで、前記検知手段７の検知信号を前記制御手段６が受信して前記空気流発生手段２の駆動を制御している。
【００２４】
また、水受け皿８と排水ダクト９は、前記処理空間３より下に設けることにより手から分離された水滴は重力により前記処理空間３の底面に集められ、前記排水ダクト９を通って前記水受け皿８に貯蔵されるように構成される。
【００２５】
前記構成において、処理空間３に手が差し込まれると、検知手段７が手を検知してその検知出力がオンとなり、制御手段６を介して空気流発生装置を動作させ、例えば図２から図３に示すように前記処理空間３内に多数配設した噴流発生部４から発生する作動気流を、前記処理空間３の中心部から外側に向かって列毎に順次切り替えることにより、使用者が自ら手を動かさずとも付着した水分を親指から小指方向に向かって払拭することができ、使用者の使い方の違いによる乾燥ムラの無い十分な乾燥が得られ、乾燥が遅いことによる使用者への不快感を軽減しつつ、作動時間が短くなることで消費する電力を節約できる。
【００２６】
なお、前記噴流発生部４は、手挿入方向に対して任意の角度を持った斜め方向に順次切り替えてもよく、また、手に当たる部位によって切り替え方向を同一方向もしくは直角方向もしくは任意の角度を持った斜め方向と変えた複合噴射としてもよい。
【００２７】
なお、図４に示すように前記噴流発生部４は、開口部形状を穴、スリット、多角形形状としてもよく、また、それらを組み合わせたものでもよい。
【００２８】
なお、前記噴流発生部４は、同時に噴射する開口部面積を変えることにより空気量を調節したものでもよい。
【００２９】
なお、図５に示すように前記噴流発生部４は、噴射する場所によって使用者の手に対する入射角度ａを変更したものでもよい。
【００３０】
なお、図６に示すように前記噴流発生部４は、前記処理空間３内に設置された手の大きさを認知できる識別手段１０により使用者の手の大きさを識別し、その識別信号により噴射する前記噴流発生部４を選択して切り替わるようにすることにより、大人や子供など手の大きさの違いによって手に接触しない作動気流を発生させる無駄な噴流発生部を閉じることができ、無駄なエネルギーを使わないという効率の良い乾燥が得られる。
【００３１】
なお、前記噴流発生部４のそれぞれの開口部に対してそれぞれ前記手検出手段７を備え、検知出力がオンとなった噴流発生部のみ順次切り替わるようにすることにより、大人や子供など手の大きさの違いによって手に接触しない作動気流を発生させる無駄な噴流発生部を閉じることができ、無駄なエネルギーを使わないという効率の良い乾燥が得られる。
【００３２】
なお、前記噴流発生部４の切り替わり状況を、図７に示すように表示手段１１としてのランプ、もしくはダイオード等により使用者に目視で確認できるようにすることにより、使用者に噴射状況が分かりやすく、安心して使用することができる。
【００３３】
（実施の形態２）
噴流発生箇所の変更手段として、図８に示すように処理空間３を構成する壁面の裏面に空気流を遮断できるシール材料１２としてのウレタンゴム、もしくはシリコンゴム等の弾性体を具備し、一端を回転可能な軸を設けることにより噴流発生部４の開口部を開閉できる機構とした。これにより、往復なしに自在に噴流発生箇所を変更することが可能となる。
【００３４】
なお、処理空間を構成する壁面の機器本体側表面に空気流を遮断できるシール材料１２をスライドさせて噴流発生部４の開口部を開閉できる機構としてもよい。
【００３５】
なお、噴流発生部４の開口部すべてに開閉機構を設置して一箇所毎に制御してもよく、また複数の噴流発生部４の開口部に対して一つの開閉機構を設置して制御してもよい。
【００３６】
（実施の形態３）
噴流発生箇所の変更手段として、図９に示すように本体１内にある噴出経路５中に可動ローラ１３と従動ローラ１４を設置し、空気流を遮断できるシール材料１２としてのウレタンゴムもしくはシリコンゴム等の弾性体をベルト状にしたものを前記可動ローラ１３と前記従動ローラ１４に取り付け、処理空間３を構成し、かつ噴流発生部４の開口部が設置された壁面の裏面にベルトの一端を近接させ、前記可動ローラが回転するとベルトが移動するように構成する。また、ベルトの一部には切欠きを設け、切欠きと前記噴流発生部４の開口部が重なり合った場合に空気流が流通可能となることで作動気流を噴射し、切欠きと前記噴流発生部４の開口部が重ならない箇所は内部空気圧力によりベルトと前記噴流発生部の開口部が密着して空気流が漏れないように構成した。これにより、往復なしに自在に噴流発生箇所を変更することが可能となる。
【００３７】
（実施の形態４）
噴流発生箇所の変更手段として、図１０に示すように空気流発生手段２としての高速ターボブロワから生成された空気流を空気流切替手段１５としてのチャンバボックスに接続し、一方では前記チャンバボックスから分岐した複数の噴出流路５を噴流発生部４にそれぞれ接続した構成とすることにより、前記チャンバボックス内で空気流を流す前記噴出流路５を切り替えることにより、往復なしに自在に噴流発生箇所を変更することが可能となる。
【００３８】
なお、図１１に示すように空気流切替手段１５を設けず、空気流発生手段２から直接噴出流路５を複数分岐させて噴流発生部４に接続し、前記噴出流路５それぞれに開閉手段１６としてのダンパもしくは弁を設けて制御する構成としてもよい。
【産業上の利用可能性】
【００３９】
本発明にかかる手乾燥装置では、使用者の手に付着した水分を最短距離で払拭できるように噴流発生箇所を変更させることにより使用者の使い方の違いによる乾燥ムラを無くした使い勝手の良い乾燥手段となり、かつ乾燥時間を短くできる手乾燥装置をとして有効である。
【００４０】
よって、洗面所やトイレ等で手を洗い、濡れた手を乾燥ささせる装置として有効であり、また、一般的に液体によって濡れたものを乾燥させる用途としても適用できる。
【図面の簡単な説明】
【００４１】
【図１】本発明の実施の形態１の本体構成を示す側面断面図
【図２】同噴流発生部の変更過程を示す斜視図
【図３】同噴流発生部の変更過程を示す上面概観図
【図４】同噴流発生部の形状を示す斜視図
【図５】同処理空間を示す側面断面図
【図６】同識別手段を示す斜視図
【図７】同表示手段を示す斜視図
【図８】同実施の形態２の開閉機構を示す斜視図
【図９】同実施の形態３の構造を示す部分断面斜視図
【図１０】同実施の形態４の切替手段を示す側面断面図
【図１１】同開閉手段を示す側面断面図
【符号の説明】
【００４２】
１  本体
２  空気流発生手段
３  処理空間
４  噴流発生部
５  噴出経路
６  制御手段
７  検知手段
８  水受け皿
９  排水ダクト
１０  識別手段
１１  表示手段
１２  シール材料
１３  可動ローラ
１４  従動ローラ
１５  切替手段
１６  開閉手段
【図１】
2005177130.tif 000003
【図２】
2005177130.tif 000004
【図３】
2005177130.tif 000005
【図４】
2005177130.tif 000006
【図５】
2005177130.tif 000007
【図６】
2005177130.tif 000008
【図７】
2005177130.tif 000009
【図８】
2005177130.tif 000010
【図９】
2005177130.tif 000011
【図１０】
2005177130.tif 000012
【図１１】
2005177130.tif 000013